(57)【要約】【課題】  非常用電源を内蔵させること無く停電時もスマートメータからの送信を待ち、送信を受けることで復電を認識するスマートメータ通信装置を提供する。【解決手段】  スマートメータ２と無線通信して使用電力情報を入手するスマートメータ通信部１１と、表示装置３に使用電力情報を送信する連携機器通信部１２と、停電時に表示装置３から電源の供給を受けるためのパックアップ電源受電部１４とを有し、表示装置と通信線Ｌ１、及び電源線Ｌ２を介して接続されている。表示装置３は、スマートメータ２から送信された使用電力情報を表示するディスプレイ３１に加えて、非常用電源としての電池３３が組み込まれている。【選択図】  図１
2019122063.tif 000002
【特許請求の範囲】
【請求項１】
スマートメータと無線通信して使用電力情報を入手し、入手した使用電力情報を蓄積するメモリ、及び外部に送信する通信部を備えたスマートメータ通信装置であって、
停電時でも前記スマートメータとの通信を可能とするために外部の連携機器から電源の供給を受けるためのバックアップ電源受電部を有し、
前記連携機器が、通信線を介して前記通信部に接続されて前記スマートメータから送信された使用電力情報を表示するディスプレイと、停電時に使用される非常用電源として組み込まれた電池とを有して、電源線を介して前記バックアップ電源受電部に接続された表示装置であり、
停電時には前記電源線を介して前記表示装置の電池から電源の供給を受けて、前記スマートメータへコマンドの送信を継続して返信を待つことを特徴とするスマートメータ通信装置。
【請求項２】
前記スマートメータとの通信を制御する通信制御部は、前記表示装置から電源の供給を受けている停電状態では、前記スマートメータへ送信するコマンドの間隔を通常より時間間隔の長い所定の時間間隔で実施する停電モード動作を実施することを特徴とする請求項１記載のスマートメータ通信装置。
【請求項３】
前記通信制御部は、前記停電モード動作で前記スマートメータと通信している状態で、前記スマートメータから返信を受けたら、復電したと判断して前記表示装置に復電を通知することを特徴とする請求項２記載のスマートメータ通信装置。
【発明の詳細な説明】
【技術分野】
【０００１】
本発明は、スマートメータと通信して使用電力情報を入手し、各種電力管理機器に送信するスマートメータ通信装置に関する。
【背景技術】
【０００２】
アナログ式の電力量計に替えて電力情報を送信する通信機能を備えたスマートメータの普及が進んでいる。一方、家庭で使用される家電機器においても通信機能を備えたものが普及しており、これら家電機器をＨＥＭＳコントローラによって制御して節電を計る構成が注目されている。
例えば、特許文献１では、ＨＥＭＳコントローラにスマートメータと通信する機能を設けて、必要な電力情報をスマートメータから入手した。
【先行技術文献】
【特許文献】
【０００３】
【特許文献１】特開２０１４−７５９７８０号公報
【発明の概要】
【発明が解決しようとする課題】
【０００４】
上記スマートメータと通信する従来のＨＥＭＳコントローラ等のスマートメータ通信装置は、停電が発生したら電源が供給されないため他の電気機器と同様に停止した。
一方で、近年の分電盤には感震リレーを備えたものがあり、感震リレーを備えた分電盤は、一定震度を超える大きさの地震が発生すると、感震リレーの制御で主幹ブレーカが遮断動作するよう構成されている。そのため、地震により商用電源が停止した場合に、主幹ブレーカも遮断動作する状態が発生する。
この場合、復電しても主幹ブレーカの遮断動作により電路が遮断されているため、復電に住人が気づかない状態が発生し、電力が供給されない状態が引き続き継続されることになる。これでは、住人が復電を待っている場合は迷惑な状態となる。
【０００５】
そこで、スマートメータ通信装置を停電時でも動作させるための非常用電源として電池を内蔵させることが考えられるが、スマートメータ通信装置は分電盤内或いはその近傍に設置されるものであるため、電池の管理が難しい問題があった。
【０００６】
本発明はこのような問題点に鑑み、非常用電源を内蔵させること無く停電時もスマートメータからの送信を待ち、送信を受けることで復電を認識するスマートメータ通信装置を提供することを目的としている。
【課題を解決するための手段】
【０００７】
上記課題を解決する為に、請求項１の発明は、スマートメータと無線通信して使用電力情報を入手し、入手した使用電力情報を蓄積するメモリ、及び外部に送信する通信部を備えたスマートメータ通信装置であって、停電時でもスマートメータとの通信を可能とするために外部の連携機器から電源の供給を受けるためのバックアップ電源受電部を有し、連携機器が、通信線を介して通信部に接続されてスマートメータから送信された使用電力情報を表示するディスプレイと、停電時に使用される非常用電源として組み込まれた電池とを有して、電源線を介してバックアップ電源受電部に接続された表示装置であり、停電時には電源線を介して表示装置の電池から電源の供給を受けて、スマートメータへコマンドの送信を継続して返信を待つことを特徴とする。
この構成によれば、スマートメータ通信装置は停電時でもスマートメータからの返信を待ち、返信を受けたことで復電を認識して表示装置へ通知できる。よって、住人は主幹ブレーカが遮断状態にあっても復電を認識でき、遅滞なく必要な対策を取ることができる。また、連携機器としての表示装置は、人目につく操作し易い場所に設置されるため、非常用電源としての電池の管理がし易く、電池交換もし易い。
【０００８】
請求項２の発明は、請求項１に記載の構成において、表示装置から電源の供給を受けている停電状態では、スマートメータへ送信するコマンドの間隔は、通常より時間間隔の長い所定の時間間隔で実施する通信制御部を有することを特徴とする。
この構成によれば、スマートメータと通信する頻度が削減されることで、電池の長寿命化を計ることができる。
【０００９】
請求項３の発明は、請求項２に記載の構成において、通信制御部は、停電モード動作でスマートメータと通信している状態で、スマートメータから返信を受けたら、復電したと判断して表示装置に復電を通知することを特徴とする。
この構成によれば、表示装置に復電が通知されるため、復電を表示させることができ、住人は復電を認識し易い。
【発明の効果】
【００１０】
本発明によれば、スマートメータ通信装置は停電時でもスマートメータからの返信を待ち、返信を受けたことで復電を認識して表示装置へ通知できる。よって、住人は主幹ブレーカが遮断状態にあっても復電を認識でき、遅滞なく必要な対策を取ることができる。また、連携機器としての表示装置は、人目につく操作し易い場所に設置されるため、非常用電源としての電池の管理がし易く、電池交換もし易い。
【図面の簡単な説明】
【００１１】
【図１】本発明に係るスマートメータ通信装置の一例を示すブロック図である。
【図２】表示装置のブロック図である。
【発明を実施するための形態】
【００１２】
以下、本発明を具体化した実施の形態を、図面を参照して詳細に説明する。図１は本発明に係るスマートメータ通信装置の一例を示すブロック図であり、スマートメータ通信装置１と通信するスマートメータ２、連携機器である表示装置３を合わせて示している。スマートメータ通信装置１は、スマートメータ２とＷｉ−ＳＵＮ通信を実施するスマートメータ通信部１１、表示装置３と通信する連携機器通信部１２、バスバー５に接続されてバスバー５から電源が供給される電源部１３、外部からバックアップ電源を受電するバックアップ電源受電部１４、スマートメータ通信装置１を制御する通信装置制御部１５等を備えている。
【００１３】
バスバー５は、主幹ブレーカの２次側に配設された電路であり、分岐ブレーカを接続するために分電盤内に配設されている。そして、スマートメータ通信装置１は、分岐ブレーカと同様にこのバスバー５に接続されて電源が供給される。
【００１４】
スマートメータ通信装置１は、通信装置制御部１５が内蔵するタイマ１５ｂをカウントさせて、例えば１分間隔でスマートメータ２と通信し、使用電力の情報（使用電力データ等）を入手し、入手したデータをメモリ１５ａに蓄積すると共に、連携機器通信部１２を介して表示装置３に出力する。
【００１５】
図２は表示装置３のブロック図を示している。図２に示すように表示装置３は、ＬＣＤから成るディスプレイ３１、ディスプレイ３１の表示の切り替え等を実施する操作ボタン３２、非常用電源としての電池３３、通常は商用電源４に接続されて停電時のみ電源を電池３３に切り替える電源部３４、警報音やメッセージを報音するスピーカ３５、メッセージ音声等を生成する音声合成部３６、表示装置３を制御するＭＣＵから成る表示装置制御部３７、スマートメータ通信装置１と通信するシリアル通信部３８、スマートメータ通信装置１に電源を供給する送電部３９等を備えている。
表示装置３は、信号線Ｌ１と電源線Ｌ２とでスマートメータ通信装置１に接続されている。
【００１６】
上記の如く表示装置３が接続されているスマートメータ通信装置１の停電時の動作は、以下のようである。尚、地震発生を受けて商用電源４である電力会社側の電気が停止し、主幹ブレーカも遮断動作した場合を説明する。
この状態では、主幹ブレーカにより電路が遮断されているため、復電してもバスバー５は充電されず、家庭内の電気機器に電源は供給されない。そのため、電気機器を介しては復電したことを把握できない。
ただし、停電発生を検知した表示装置制御部３７は、電池３３を電源部３４に接続して送電部３９からスマートメータ通信装置１に電源の供給が開始される。また、表示装置３自身も、電池３３によりシリアル通信部３８、表示装置制御部３７の機能は維持される。
【００１７】
表示装置３からバックアップ電源受電部１４を介して電源の供給が開始された電源部１３は、通信装置制御部１５を起動する。
起動した通信装置制御部１５は、外部の非常用電源により起動されたことを認識し、停電モードでの動作を開始する。停電モードでは、スマートメータ２と通信するためのコマンドの送信を、例えば１０分等通常より長い所定の間隔で実施し、この間隔でのコマンド送信が復電して返信があるまで継続される。尚、停電モードでは各種表示を行うＬＥＤ（表示せず）は発光を停止する。
【００１８】
その後、電力会社側の電気が復電すると、スマートメータ２が起動して、コマンドを送信し続けているスマートメータ通信装置１に対して返信信号を出力して通信が再開される。
こうして、スマートメータ２と通信を再開したスマートメータ通信装置１は、復電したことを認識して表示装置３に復電信号を送信する。復電信号を受信した表示装置３は、表示装置制御部３７の制御により、ディスプレイ３１が起動されて復電した旨がディスプレイ３１に表示され、スピーカ３５にて復電の音声案内が行われる。
尚、その後主幹ブレーカのオン操作が成されれば、バスバー５が充電されて表示装置３に商用電源が供給されて通常動作に復帰する。
【００１９】
このように、スマートメータ通信装置１は停電時でもスマートメータ２からの返信を待ち、返信を受けたことで復電を認識して表示装置３へ通知できる。よって、住人は主幹ブレーカが遮断状態にあっても復電を認識でき、遅滞なく必要な対策を取ることができる。
また、表示装置３は、人目につく操作し易い場所に設置されるため、非常用電源としての電池の管理がし易く、電池交換もし易い。
更に、停電時のスマートメータ通信装置１の動作は、スマートメータ２と通信する頻度が通常より削減されるため、電池３３の長寿命化を計ることができる。
加えて、表示装置３に復電が通知されるため、復電を表示させることができ、住人は復電を認識し易い。
【００２０】
尚、上記実施形態では、主幹ブレーカの遮断動作を伴う停電の場合の動作を説明したが、地震を伴わず商用電電が停止するだけで主幹ブレーカはオン状態を維持している場合は、復電するとバスバー５をはじめ分岐電路にも電源が供給されるため、接続された電気機器の起動で復電を容易に把握できる。
【符号の説明】
【００２１】
１・・スマートメータ通信装置、２・・スマートメータ、３・・表示装置（連携機器）、１１・・スマートメータ通信部、１２・・連携機器通信部（通信部）、１３・・電源部、１４・・バックアップ電源受電部、１５・・通信装置制御部（通信制御部）、１５ａ・・メモリ、１５ｂ・・タイマ、３１・・ディスプレイ、３３・・電池、３９・・送電部、Ｌ１・・通信線、Ｌ２・・電源線。
【図１】
2019122063.tif 000003
【図２】
2019122063.tif 000004